(57)【要約】      （修正有）【課題】ｅコマース利用者が、海外の商品を購入もしくは入札するとき、買い手の自国による言語で商品内容のページを閲覧でき、購入もしくは入札代行者であるシッパーに依頼することで決済までのプロセスを完了でき、かつ、ＳＮＳコミュニティによるｅコマースにおける課題をコミュニティが解決するソーシャルなｅコマースシステムを提供する。【解決手段】大手ｅコマース提供会社が提供するＡＰＩを活用し、買い手の代行者であるシッパー（荷主）が、入札・購入・発送までを請け負う。売り手が掲載しているＷＥＢページの内容は、すべて買い手側の言語で表示される。翻訳技術を活用して、自国の言語に訳すことで、買い手にとっては、あたかも自国の言語で取引しているかのようなＷＥＢページを提供する。決済については、決済サービスを提供しているサービスプロバイダーのシステムと、当社のサービスとを連携させる。【選択図】図１
2011192246.tif 000002
【特許請求の範囲】
【請求項１】
電子商取引（以下「ｅコマース」と称す）に介在するシステムにおいて、
ｅコマース・サービス提供会社が提供するアプリケーション・プログラム・インターフェイス（以下「ＡＰＩ」と称す）を利用して、ｅコマースに必要な機能データを自社（以下「Ｊ−Ｇｒａｂ」とする）のアプリケーションに取り込む。
Ｊ−Ｇｒａｂのアプリケーション上に、ｅコマースの各種機能と翻訳提供会社が提供するＡＰＩ機能と連携させて両側のサービス機能のデータを加工して、買い手と売り手の取引とコミュニケーションを提供する。売り手が出品している情報が買い手の利用する自国の言語に自動翻訳されることで、翻訳された売り手の出品情報の表示が可能になるｅコマースシステム。また、買い手の通貨単位、現地時間に変更するシステム。
【請求項２】
Ｊ−Ｇｒａｂに会員登録が必要な場合は、買い手が商品を入札または購入する意志を示した場合と、荷主の機能も担う購入代行者（以下「シッパー」と称す）として登録をする２通りである。
まず、Ｅメールアドレスを登録させ、Ｊ−Ｇｒａｂ側のサーバーで登録されたＥメールアドレスの自動認証機能による確認を行い、ＥメールアドレスをＪ−ＧｒａｂのユーザーＤＢサーバーに格納する。
Ｊ−Ｇｒａｂのアプリケーション上で、既存のＳＮＳ提供会社やｅコマース提供会社（以下「提供会社」とする）が提供しているＯＰＥＮＩＤ認証を使う。提供会社が提供するユーザー認証ＡＰＩを活用して、Ｊ−Ｇｒａｂのアプリケーション上でユーザーの提供会社からユーザープロフィールを取得してＪ−Ｇｒａｂのサーバーに格納する。各提供会社側のユーザーＩＤとパスワードが認証されると、認証したユーザーＩＤとパスワードでＪ−Ｇｒａｂのサービスが利用できる。複数のユーザーＩＤを所有している場合はユーザー自身が好みのユーザーＩＤを一つ選択する。もし既存の提供会社が発行しているユーザーＩＤとパスワードが一致しない場合と、提供会社が発行するユーザーＩＤを所有していない場合に、ユーザーの入力されたＥメールアドレスから過去に登録した提供会社の登録情報を検索し該当する情報を表示するシステム。
【請求項３】
Ｊ−ＧＲＡＢのサービスを利用開始時に登録した提供会社のユーザーＩＤ、ＷＥＢメール提供会社のＩＤからアドレス帳または友達リストをＪ−Ｇｒａｂ開発のクローラーにより抽出し統合する機能。複数のアドレス帳、または友達リストをインポートした際、Ｊ−ＧＲＡＢ独自のインポート機能により、登録済みのアドレス、苗字や名前の名寄せロジックを導入し重複のないフレンド＆アドレスリストを作成、Ｊ−ＧＲＡＢのマイページに表示することを可能とするシステム。また重複した場合にはユーザー自身がマニュアルによる編集・削除が可能とするシステム。
【請求項４】
Ｊ−Ｇｒａｂの登録にはユーザーが既に利用している提供会社のユーザーＩＤを登録することができる。お互いが連絡を必要とする場合、互いに異なった提供会社のユーザーＩＤでＪ−Ｇｒａｂのアプリケーション上の「Ｊ−Ｇｒａｂメッセージング機能」を利用し、連絡することが可能となる。連絡をする際に、お互いのメールアドレスを非公開とするため、Ｊ−Ｇｒａｂ専用の提供会社ユーザーＩＤを活用し、異なった提供会社のサービスで提供しているダイレクトメッセージ機能にユーザーからの連絡を届ける機能を提供するシステム。
【請求項５】
前記で登録したＪ−ＧＲＡＢのフレンド＆アドレス帳から複数のＳＮＳをまたいで連絡をすることができる機能システム。フォルダ分けも可能なシステム。
【請求項６】
買い手はＪ−Ｇｒａｂのアプリケーション上で、Ｊ−Ｇｒａｂが推奨するカテゴリ別の国際発送料金タリフ（料金表）または、シッパーが個別にＪ−Ｇｒａｂのマイページ内で設定した送料タリフを確認することができる。また交渉を受け付けるシッパーのみに買い手は送料について質問を行うことができるシステム。
買い手が、商品購入依頼を選択したシッパーにＪ−Ｇｒａｂメッセージ機能を利用して連絡する。
連絡を受けたシッパーは、依頼を受け付けるか拒否するかを判断する。
シッパーが購入代行依頼を受理したアクションと同時に、Ｊ−Ｇｒａｂより買い手にメッセージ／Ｅメールで商品ＵＲＬが送信される。買い手は商品ＵＲＬをクリックすると商品翻訳ページに移動する。同時にＪ−Ｇｒａｂは決済に必要なパラメータを大手インターネット決済会社（以下「ＰａｙＰａｌ」と称す）ＰａｙＰａｌのＡＰＩにリクエストしてＰａｙＰａｌのＡＰＩは決済ページ内に表示するための文字列を商品翻訳ページに返すシステム。
買い手は決済のアクションを行う。同時にＪ−ＧｒａｂとＰａｙＰａｌからシッパーに決済される予定である案内が届くシステム。
【発明の詳細な説明】
【技術分野】
【０００１】  この発明は、インターネット上で自国以外のサイトで出品もしくは販売されている商品を自国の言語で閲覧することが可能になり、荷主の機能も担う購入代行者に依頼をすることで、購入から決済までを完了することができるｅコマースのシステムに関する。
【背景技術】
【０００２】  インターネットの通信手段の急激な発展により、インターネットを通じてｅコマース・サービス提供会社が世界中に増大している。また、ＳＮＳ（ｓｏｃｉａｌ  ｎｅｔｗｏｒｋｉｎｇ  ｓｅｒｖｉｃｅ人と人のつながりを促進するコミュニティ型のＷＥＢサイトのこと）提供会社が世界中に増大している。【０００３】  各ｅコマース・サービス提供会社のアプリケーションを利用して、商品を販売する売り手、商品を購入する買い手が増大し、インターネット上での取引形態が増加している。また、各ＳＮＳ提供会社のアプリケーションを利用して、インターネット上でのコミュニティ形成や、インターネット利用者がブログを活用して情報を発信する形態が増加している。【０００４】  売り手と買い手の連絡は、当事者同士でＥメールや、ｅコマース・サービス提供会社が提供するメッセージング機能を活用して、商品に対する質問などを当事者で解決している。【０００５】  ところで、現状の電子商取引は、大手ｅコマース提供会社の事業戦略や本社との契約により、各国内に閉じられた電子商取引のサービス事業を提供せざるをえない状況である。つまり、事実上、大手ｅコマース提供会社が提供するサービスは、国際間の商取引が事実上不可能である。【０００６】  しかし、前記買い手においては、自国の言語以外の海外のおけるｅコマースを利用する場合には、他言語による障害があるので取引を行うことが困難な場合が多かった。また、他言語を理解できない買い手は、海外の商品を購入する場合は、卸・流通業者経由で購入する必要がある。
【発明の概要】
【発明が解決しようとする課題】
【０００７】  以上に述べた従来のｅコマース・サービス提供会社のアプリケーションでは、国際間のやり取りが困難であり、また、大手のｅコマース・サービス提供会社や大手のＳＮＳサービス提供会社同士が連携することは、各企業のビジネスにおけるポリシーや競合他社との連携といった政治的な理由などのため、各サイトが別々にかつ単一の国によるｅコマースサイトであり、各国内に閉じられた電子商取引のサービス事業を提供せざるをえなかった。【０００８】  本発明は、このような従来の制約が有していた問題を解決しようとするものであり、ｅコマース利用者が、海外の商品を購入もしくは入札しようとするとき、買い手の自国による言語で海外において出品もしくは販売されている商品内容のページを閲覧することができ、購入もしくは入札代行者であるシッパーに依頼することで決済までのプロセスを完了することができ、かつ、ＳＮＳコミュニティによるｅコマースにおける課題をコミュニティが解決するソーシャルなｅコマースシステムを提供することを目的としている。
【課題を解決するための手段】
【０００９】  本発明は、図１に示すように、インターネット上でｅコマース・サービスを提供しているサイトのＡＰＩとＳＮＳサービスを提携しているサイトのＡＰＩとＪ−Ｇｒａｂが独自に開発するＡＰＩと連携させることで、複数のｅコマースやＳＮＳのサービスをサードパーティによる一つのサイトで束ねる。さらに、翻訳サービスを提供しているサイトのＡＰＩと前記ｅコマースサイトのＡＰＩと連携させることによって、Ｊ−Ｇｒａｂサーバーを介して、ｅコマース・サービス提供会社が提供しているｅコマースに必要である機能と翻訳サービスを提供しているサイトの機能における情報のやりとりによって買い手はＪ−Ｇｒａｂのサイト経由で、複数のｅコマースサイトで出品または販売されている商品を買い手側の言語で閲覧できることを要旨とする。【００１０】  本発明は、図２に示すように、Ｊ−Ｇｒａｂのサービスを利用するために、Ｅメールアドレスを登録させ、Ｊ−Ｇｒａｂのサーバーを介してユーザーが登録したＥメールアドレスの自動認証機能による確認を行い、ＥメールアドレスをＪ−ＧｒａｂのユーザーＤＢサーバーに格納する。また、Ｊ−Ｇｒａｂのアプリケーション上で、ユーザーが入力した各提供会社が発行しているユーザーＩＤとパスワードを既存のＳＮＳ提供会社やｅコマース提供会社（以下「提供会社」とする）が提供するユーザー認証ＡＰＩにリクエストをする。各提供会社側のユーザーＩＤとパスワードが認証されると、認証したユーザーＩＤとパスワードでＪ−Ｇｒａｂのサービスが利用できる。複数のユーザーＩＤを所有している場合はユーザー自身が好みのユーザーＩＤを一つ選択する。もし既存の提供会社が発行しているユーザーＩＤとパスワードが一致しない場合と、提供会社が発行するユーザーＩＤを所有していない場合に、ユーザーの入力されたＥメールアドレスから過去に登録した提供会社の登録情報を検索し該当する情報を表示することを要旨とする。【００１１】  また、図３に示すように、Ｊ−ＧＲＡＢのサービスを利用開始時に登録した提供会社のユーザーＩＤ、ＷＥＢメール提供会社のＩＤからアドレス帳または友達リストをＪ−Ｇｒａｂ開発のクローラーにより抽出し統合することができる。【００１２】  そして、複数のアドレス帳、または友達リストをインポートした際、Ｊ−ＧＲＡＢ独自のインポート機能により、登録済みのアドレス、苗字や名前の名寄せロジックを導入し重複のないフレンド＆アドレスリストを作成、Ｊ−ＧＲＡＢのマイページに表示することができる。また重複した場合にはユーザー自身がマニュアルによる編集・削除が可能である。この結果、複数の提供会社のサイトに登録しているＥメールアドレスや友達リストを登録しなくてもよいのでユーザーの利便性に寄与することができる。【００１３】  そして、前記で登録したＪ−ＧＲＡＢのフレンド＆アドレス帳から複数のＳＮＳをまたいで連絡をすることができるので利便性に寄与することができる。フォルダ分けも可能である。【００１４】  また、図４に示すように、シッパーとしてＪ−Ｇｒａｂのサービスに登録するユーザーには、買い手の購入または入札代行の機能を必要とするため、大手インターネット決済会社（以下「ＰａｙＰａｌ」と称す）ＰａｙＰａｌの登録を推奨する。ＰａｙＰａｌのユーザーＩＤとパスワードを所有しているユーザーは、ＰａｙＰａｌが発行しているユーザーＩＤとパスワードをＰａｙＰａｌが提供するユーザー認証ＡＰＩにリクエストをする。ＰａｙＰａｌ側のユーザーＩＤとパスワードが認証されると、認証した結果をＣａｌｌｂａｃｋでＪ−Ｇｒａｂ側に返答しその結果をＪ−ＧｒａｂのＰａｙＰａｌステータスサーバーに格納される。ＰａｙＰａｌのユーザーＩＤとパスワードを所有していないユーザーは、Ｊ−Ｇｒａｂのアプリケーション上でＰａｙＰａｌの登録を行い、登録が認証されるとその結果が、Ｊ−ＧｒａｂのＰａｙＰａｌステータスサーバーに格納される。この結果、ＰａｙＰａｌアカウントを所有しているかどうかを表示することで、買い手は購入または入札する代金をクレジットカードで支払うことができ、買い手の利便性や安全性に寄与する。【００１５】  また、登録画面にはユーザーがＪ−ＧｒａｂＩＤを新規に登録した場合には、Ｊ−ＧｒａｂＩＤとパスワードの入力ボックス、既存の提供会社のユーザーＩＤを所有している場合にはスクリーンネーム、Ｊ−Ｇｒａｂに登録したＥメールアドレスが表示される。ユーザーが確認後、Ｊ−Ｇｒａｂの利用登録が完了することを有することを要旨とする。【００１６】  本発明は、図５に示すように、Ｊ−Ｇｒａｂの登録にはユーザーが既に利用している提供会社のユーザーＩＤを登録することができる。お互いが連絡を必要とする場合、互いに異なった提供会社のユーザーＩＤでＪ−Ｇｒａｂのアプリケーション上の「Ｊ−Ｇｒａｂメッセージング機能」を利用し、連絡することが可能となる。連絡をする際に、お互いのメールアドレスを非公開とするため、Ｊ−Ｇｒａｂ専用の提供会社ユーザーＩＤを活用し、異なった提供会社のサービスで提供しているダイレクトメッセージ機能にユーザーからの連絡を届ける機能を提供することを要旨とする。【００１７】  本発明は、図６に示すように、買い手はＪ−Ｇｒａｂのアプリケーション上で、Ｊ−Ｇｒａｂが推奨するカテゴリ別の国際発送料金タリフ（料金表）または、シッパーが個別にＪ−Ｇｒａｂのマイページ内で設定した送料タリフを確認することができる。また交渉を受け付けるシッパーのみに買い手は送料について質問を行うことができることを要旨とする。商品を購入または入札に興味のある買い手は、売り手からシッパーにかかる国内間、及び、シッパーから買い手にかかる国際間の送料の価格が判ることで、買い手の利便性に寄与する。【００１８】  また、図７に示すように、買い手が、商品購入依頼を選択したシッパーにＪ−Ｇｒａｂメッセージ機能を利用して連絡する。連絡を受けたシッパーは、依頼を受け付けるか拒否するかを判断する。シッパーが購入代行依頼を受理したアクションと同時に、Ｊ−Ｇｒａｂより買い手にメッセージ／Ｅメールで商品ＵＲＬが送信される。買い手は商品ＵＲＬをクリックすると商品翻訳ページに移動することを要旨とする。買い手とシッパーはお互いのＥメールアドレスを表示する必要もないので、両者の利便性と安全性につながるという優れた効果を有する。【００１９】  また、図８に示すように、Ｊ−Ｇｒａｂは決済に必要なパラメータをＰａｙＰａｌ��ＡＰＩにリクエストしてＰａｙＰａｌのＡＰＩは決済ページ内に表示するための文字列を商品翻訳ページに返すことができる。買い手は決済のアクションを行う。同時にＪ−ＧｒａｂとＰａｙＰａｌからシッパーに決済される予定である案内が届くことで、買い手の利便性や安全性につながるという優れた効果を有する。
【発明の効果】
【００２０】  本発明は、買い手が海外のｅコマース提供会社の商品を購入または入札しようとする際に、Ｊ−Ｇｒａｂのサイトを介して、ｅコマースに必要な機能データを取り込み、翻訳サービス提供会社が提供するＡＰＩ機能と連携させ、売り手が出品している情報が買い手側の言語、買い手側の通貨単位、買い手側の現地時間が表示され、買い手は、買い手の購入または入札代行業者であるシッパーに購入または入札を依頼することで、買い手は買い手の言語で海外の商品の購入や入札が可能になる。【００２１】  この結果、買い手は、売り手側の言語を理解していなくても、商品を購入または入札することができ、ｅコマースを国際化させ、ｅコマース利用者の利便性に寄与することができる。【００２２】  また、Ｊ−Ｇｒａｂのユーザーは、既存のｅコマース・サービス提供会社やＳＮＳ・サービス提供会社のユーザーＩＤとパスワードを利用することができるので、新しくＪ−ＧｒａｂのユーザーＩＤ登録をしなくても、Ｊ−Ｇｒａｂのサービスを利用することができる。
【図面の簡単な説明】
【００２３】
【図１】本発明の実施形態を示す売り手の出品情報における翻訳の概念図
【図２】本発明の実施形態を示すＪ−Ｇｒａｂサービスにおける登録のフロー図
【図３】本発明の実態形態を示すＪ−Ｇｒａｂの友達＆アドレスのコネクション機能の概念図
【図４】Ｊ−Ｇｒａｂサービス登録完了後におけるＰａｙＰａｌ（決済システム）との連携を示す概念図
【図５】ユーザー間での連絡を行う際に利用するメッセージング機能を示す概念図
【図６】買い手が送料の確認のためにシッパーへの質問におけるフロー図
【図７】買い手が購入する商品を決定後シッパーへの依頼におけるフロー図
【図８】買い手が商品代金を確認した後シッパーへの決済を完了させるフロー図
【符号の説明】
【００２４】  １  既に存在しうるｅコマース・サービス提供会社及びＳＮＳサービス提供会社
２  インターネット上におけるＡＰＩリクエストとそのリクエストに対する応答
３  Ｊ−Ｇｒａｂ内で有効なユーザーＩＤとパスワードのボックス
４  Ｊ−Ｇｒａｂの会員データを格納するデータベースサーバー
５  既に存在しうるＷＥＢメール・サービス提供会社
６  インターネット上におけるＡＰＩリクエストとそのリクエストに対する応答
７  友達やＥメールアドレスリストを作成が可能なマイページの概念図
８  既に存在する大手決済サービス提供会社であるＰａｙＰａｌ
９  インターネット上におけるＡＰＩリクエストとそのリクエストに対する応答
１０  ユーザーがＰａｙＰａｌの登録認証を完了したデータを格納するサーバー
１１  ユーザー間における連絡を取り合う際に利用するメッセージング機能のサーバー
【発明を実施するための形態】
【００２５】  以下、本発明の実施の形態を図１〜図８に基づいて説明する。
【００２６】  図１に示すように、Ｊ−Ｇｒａｂサーバー側にｅコマース・サービス提供会社のＡＰＩに必要なリクエストを行ってそのリクエストの回答を得ることができる独自のプログラミングを開発していく。
【００２７】  Ｊ−Ｇｒａｂサーバー側に、翻訳・サービス提供会社のＡＰＩに必要なリクエストを行ってそのリクエストの回答を得ることができる独自のプログラミングを開発していく。
【００２８】  これにより、売り手が、ｅコマース・サービス提供会社に出品をしている商品を、買い手が閲覧する際に買い手側の言語で表示できるようにする。
【００２９】図２と図３は、本発明のＪ−Ｇｒａｂのサービス登録に係るシステム図とフロー図である。
【００３０】  買い手が、自分が欲しいと思う商品の閲覧を行うためには、Ｊ−Ｇｒａｂにユーザー登録をする必要がなく、前記の翻訳されたページを無償で閲覧することができる。買い手が、海外の売り手の商品を購入または入札したいとき、及び、シッパーが海外から購入または入札希望のある買い手のために、購入および入札代行と海外の買い手に対して商品を発送するときに、Ｊ−Ｇｒａｂの登録が必要になってくる。
【００３１】  そこで、ユーザーが利用しているＥメールアドレスを登録させる。Ｊ−Ｇｒａｂ側のサーバーで、登録されたＥメールアドレスの自動認証による確認を行い、ＥメールアドレスをＪ−ＧｒａｂのユーザーＤＢサーバーに格納する。
【００３２】  ユーザーは、既存のｅコマース・サービス提供会社及びＳＮＳサービス提供会社（以下「提供会社」と称す）のユーザーＩＤを所有している場合は、そのユーザーＩＤをＪ−Ｇｒａｂの登録を有効とする。つまり、ＯＰＥＮＩＤ認証を使う。（ＯＰＥＮＩＤとは、ＷＥＢサイトのＵＲＬ形式で構成されたユーザーの身元確認をするためのＩＤです。誰でもインターネット上で自分の情報を作成・管理することができ、発行されるＯｐｅｎＩＤはウェブ構築のまさに核心部分と呼べるＵＲＬ形式で構成されているため、スパムメールや不正アクセス等の心配がなく、安全にログインすることができ、一つのＩＤでさまざまなＷＥＢサイトを利用できる仕組みのことである。）
【００３３】  そこで、Ｊ−Ｇｒａｂ側に、既存の提供会社のＡＰＩに必要なリクエストを行ってそのリクエストの回答を得ることができる独自のプログラミングを開発していく。
【００３４】  ユーザーが、Ｊ−Ｇｒａｂの登録画面で入力した提供会社のユーザーＩＤとパスワードを、提供会社が提供するユーザー認証ＡＰＩをリクエストして、認証されるかどうかをリクエストする。
【００３５】  各提供会社側のユーザーＩＤとパスワードが認証されると、提供会社からユーザープロフィールを取得してＪ−Ｇｒａｂサーバーに格納する。
【００３６】  ユーザーは、各提供会社で認証されたユーザーＩＤとパスワードでＪ−Ｇｒａｂのサービスが利用できる。
【００３７】  複数のユーザーＩＤを所有している場合はユーザー自身が好みのユーザーＩＤを一つ選択することができる。もし既存の提供会社が発行しているユーザーＩＤとパスワードが一致しない場合と、提供会社が発行するユーザーＩＤを所有していない場合に、ユーザーが入力したＥメールアドレスから過去に登録した提供会社の登録情報を検索し該当する情報を表示させる。
【００３８】  次に、図３に示すように、Ｊ−ＧＲＡＢのサービスを利用開始時に登録した提供会社のユーザーＩＤ、ＷＥＢメール提供会社のＩＤからアドレス帳または友達リストをＪ−Ｇｒａｂ開発のクローラーにより抽出し統合することができる。
【００３９】  また、複数のアドレス帳、または友達リストをインポートした際、Ｊ−ＧＲＡＢ独自のインポート機能により、登録済みのアドレス、苗字や名前の名寄せロジックを導入し重複のない友達＆アドレスリストを作成、Ｊ−ＧＲＡＢのマイページに表示することを可能になる。
【００４０】  また、重複した場合にはユーザー自身がマニュアルによる編集・削除が可能とする。
【００４１】  なお、Ｊ−Ｇｒａｂの登録にはユーザーが既に利用している提供会社のユーザーＩＤを登録することができる。
【００４２】  図４に示すように、シッパーとしてＪ−Ｇｒａｂのサービスに登録するユーザーには、買い手の購入または入札代行の機能を必要とするため、大手インターネット決済会社（以下「ＰａｙＰａｌ」と称す）ＰａｙＰａｌの登録を推奨する。ＰａｙＰａｌとは、インターネットを利用した決済サービスを提供するアメリカの企業であり、金銭の授受をＰａｙＰａｌが仲介するため、取引先にクレジットカード番号や口座番号を知らせる必要がなく、安全なサービスであるとされている。
【００４３】  そこで、Ｊ−Ｇｒａｂサーバー側にＰａｙＰａｌのＡＰＩに必要なリクエストを行ってそのリクエストの回答を得ることができる独自のプログラミングを開発していく。
【００４４】  ＰａｙＰａｌのユーザーＩＤとパスワードを所有しているユーザーは、ＰａｙＰａｌが発行しているユーザーＩＤとパスワードをＰａｙＰａｌが提供するユーザー認証ＡＰＩにリクエストをする。ＰａｙＰａｌ側のユーザーＩＤとパスワードが認証されると、認証した結果をＣａｌｌｂａｃｋでＪ−Ｇｒａｂ側に返答しその結果をＪ−ＧｒａｂのＰａｙＰａｌステータスサーバーに格納される。
【００４５】  ＰａｙＰａｌのユーザーＩＤとパスワードを所有していないユーザーは、Ｊ−Ｇｒａｂのアプリケーション上でＰａｙＰａｌの登録を行い、登録が認証されるとその結果が、Ｊ−ＧｒａｂのＰａｙＰａｌステータスサーバーに格納される。この結果、ＰａｙＰａｌアカウントを所有しているかどうかを表示することで、買い手は購入または入札する代金をクレジットカードで支払うことができ、買い手の利便性や安全性に寄与する。
【００４６】  図５に示すように、ユーザー同士お互いが連絡を必要とする場合、互いに異なった提供会社のユーザーＩＤでＪ−Ｇｒａｂのアプリケーション上の「Ｊ−Ｇｒａｂメッセージング機能」を利用し、連絡することが可能となる。連絡をする際に、お互いのメールアドレスを非公開とするため、Ｊ−Ｇｒａｂ専用の提供会社ユーザーＩＤを活用し、異なった提供会社のサービスで提供しているダイレクトメッセージ機能にユーザーからの連絡を届けることができるので、ユーザーの個人情報の漏洩を防止することができる。
【００４７】  前記で登録したＪ−ＧＲＡＢのフレンド＆アドレス帳から複数のＳＮＳをまたいで連絡をすることができる。フォルダ分けも可能にする。
【００４８】  図６で示すように、買い手はＪ−Ｇｒａｂのアプリケーション上で、Ｊ−Ｇｒａｂが推奨するカテゴリ別の国際発送料金タリフ（料金表）または、シッパーが個別にＪ−Ｇｒａｂのマイページ内で設定した送料タリフを確認することができる。また交渉を受け付けるシッパーのみに買い手は送料について質問を行うことができることで、買い手には商品の送料がおよそいくらかかるのかについて知ることができる利便性を寄与することができる。
【００４９】  そして、買い手が、商品購入依頼を選択したシッパーにＪ−Ｇｒａｂメッセージ機能を利用して連絡する。買い手は、例えば、信頼のおけるシッパーや少しでも送料を安く抑えてくれるシッパーを自ら選択できる利便性を寄与することができる。
【００５０】  そして、連絡を受けたシッパーは、依頼を受け付けるか拒否するかを判断する。
【００５１】  そして、シッパーが購入代行依頼を受理したアクションと同時に、Ｊ−Ｇｒａｂより買い手にメッセージ／Ｅメールで商品ＵＲＬが送信される。買い手は商品ＵＲＬをクリックすると商品翻訳ページに移動する。
【００５２】  同時にＪ−Ｇｒａｂは決済に必要なパラメータを大手インターネット決済会社（以下「ＰａｙＰａｌ」と称す）ＰａｙＰａｌのＡＰＩにリクエストしてＰａｙＰａｌのＡＰＩは決済ページ内に表示するための文字列を商品翻訳ページに返す。
【００５３】  買い手は決済のアクションを行う。同時にＪ−ＧｒａｂとＰａｙＰａｌからシッパーに決済される予定である案内が届く。
【図１】
2011192246.tif 000003
【図２】
2011192246.tif 000004
【図３】
2011192246.tif 000005
【図４】
2011192246.tif 000006
【図５】
2011192246.tif 000007
【図６】
2011192246.tif 000008
【図７】
2011192246.tif 000009
【図８】
2011192246.tif 000010